(57)【特許請求の範囲】
【請求項１】
ブラケットテーブルに設けた回動軸により回動可能に支持されるとともに、歯科用ユニットにおけるインスツルメントホルダに収容されるインスツルメントに連結したホースを滑動可能に支持したホース用アームと、
回動軸により前記ホース用アームとともに回動可能に支持されたバネかけ用アームと、
ブラケットテーブルの定位置に一端が支持され、前記バネかけ用アームにより他端がスライド可能に支持され、前記ホースに対して引き込み方向の加勢力を与える加勢バネとを有し、
前記ホースの引き出し位置の変動に応じて前記ホース用アームを回動させ、ホース用アームの回動に連動する前記バネかけ用アームに対する加勢バネの他端位置のスライド位置の変動に伴うホースに作用する回転トルクの変化を利用して、前記ホースの引き込み方向への加勢力を調整しつつ垂れ下がり防止を行うようにしたことを特徴とする歯科用ユニットのホース垂れ下がり防止及び引き込み加勢装置。
【請求項２】
前記バネかけ用アームに、前記加勢バネの他端位置のスライド位置を規制するスペーサを設けたことを特徴とする請求項１記載の歯科用ユニットのホース垂れ下がり防止及び引き込み加勢装置。
【請求項３】
前記回動軸に対して複数本のホース用の複数個のホース用アーム、バネかけ用アーム及び加勢バネを連設し、複数本のホース各々の引き込み方向への加勢力を調整しつつ垂れ下がり防止を行うようにしたことを特徴とする請求項１又は２記載の歯科用ユニットのホース垂れ下がり防止及び引き込み加勢装置。
【発明の詳細な説明】
【０００１】
【発明の属する技術分野】
本発明は、歯科用ユニットのホース垂れ下がり防止及び引き込み加勢装置に関し、詳しくは、歯科用ユニットのインスツルメントを連結したホースの引き出し及び引き込みを、垂れ下がりを防止ししつつ円滑に実行し得るように構成したホース垂れ下がり防止及び引き込み加勢装置に関する。
【０００２】
【従来の技術】
従来の歯科用ユニットのブラケットテーブル５４では、その前方下部のインスツルメントホルダ５３にインスツルメント５１が格納されたとき、インスツルメント５１に連結したホース５２が図７に示すごとく垂れ下がり、ホース５２が床面６０に接触する状態となってしまう。この状態で歯科医師がインスツルメント５１を使用していると、ホース５２自体が汚れたり、キズ付いたりして不衛生であり、最近の院内感染防止が叫ばれる中、その対策が要望される。
【０００３】
また、インスツルメント５１を図８に示すように手前へ引き出して使用した後、ホース５２を引き戻してインスツルメント５１をインスツルメントホルダ５３に収納する際には、ホース５２の床面接触により汚れた部分がインスツルメントホルダ５３の支持部分に摺接してその部分を汚してしまうという衛生上の問題や、垂れ下がったホース５２が床面接触することにより収納を円滑に行うことができないという操作性低下という問題がある。
【０００４】
このような事情から、最近では、コイルバネやゼンマイバネ、板バネ等を使用し、引き出すにつれてホースを後方に引き込む力を強くし、また、コンスタントバネを使用したものではほぼ一定の力により常にホースを後方に引き込むように構成した歯科用ユニットが提案されている（特開平７−１３６２２３号、特開平７−２９９１０４号参照）。
【０００５】
しかし、このような歯科用ユニットの場合には、歯科医師がインスツルメントを使用するときに、ホースを常に後方に引き戻そうとする力がかかることになるため、歯科医師は引き戻そうとする力に抗して作業を行う必要があり、細かい作業がしづらくなってしまうという問題がある。
【０００６】
【発明が解決しようとする課題】
本発明は、上記事情に鑑みてなされたものであり、インスツルメントを連結したホースの引き出し及び引き込みを、その垂れ下がりを防止しつつ円滑に実行でき、衛生面に優れ操作性が良好な歯科用ユニットのホース垂れ下がり防止及び引き込み加勢装置を提供することを目的とするものである。
【０００７】
【課題を解決するための手段】
請求項１記載の発明の歯科用ユニットのホース垂れ下がり防止及び引き込み加勢装置は、ブラケットテーブルに設けた回動軸により回動可能に支持されるとともに、歯科用ユニットにおけるインスツルメントホルダに収容されるインスツルメントに連結したホースを滑動可能に支持したホース用アームと、回動軸により前記ホース用アームとともに回動可能に支持されたバネかけ用アームと、ブラケットテーブルの定位置に一端が支持され、前記バネかけ用アームにより他端がスライド可能に支持され、前記ホースに対して引き込み方向の加勢力を与える加勢バネとを有し、前記ホースの引き出し位置の変動に応じて前記ホース用アームを回動させ、ホース用アームの回動に連動する前記バネかけ用アームに対する加勢バネの他端位置のスライド位置の変動に伴うホースに作用する回転トルクの変化を利用して、前記ホースの引き込み方向への加勢力を調整しつつ垂れ下がり防止を行うようにしたことを特徴とするものである。
【０００８】
請求項２記載の発明は、請求項１記載の歯科用ユニットのホース垂れ下がり防止及び引き込み加勢装置において、前記バネかけ用アームに、前記加勢バネの他端位置のスライド位置を規制するスペーサを設けたことを特徴とするものである。
【０００９】
請求項３記載の発明は、請求項１又は２記載の歯科用ユニットのホース垂れ下がり防止及び引き込み加勢装置において、前記回動軸に対して複数本のホース用の複数個のホース用アーム、バネかけ用アーム及び加勢バネを連設し、複数本のホース各々の引き込み方向への加勢力を調整しつつ垂れ下がり防止を行うようにしたことを特徴とするものである。
【００１０】
【発明の実施の形態】
以下に、本発明の実施の形態を図面に基づき説明する。
【００１１】
図１は、本実施の形態のホース垂れ下がり防止及び引き込み加勢装置を含む歯科用ユニット１の平面図、図２は同歯科用ユニット１の正面図である。
【００１２】
歯科用ユニット１は、患者用の治療椅子２、治療椅子２から立設した支持アーム３により支持された歯科医師の作業用のブラケットテーブル（以下単に「テーブル」という）４、照明装置５等からなり、前記テーブル４にホース垂れ下がり防止及び引き込み加勢装置１０を組み込んで構成している。
【００１３】
テーブル４の底部４ａには、複数本構成のインスツルメントホース（以下単に「ホース」という）１１の一端が端子１４を介して接続されている。
【００１４】
また、テーブル４の先端側（治療椅子２上に臥床する患者の頭部側）の下部には、複数本構成のインスツルメントホース１１の他端に各々連結した複数個のインスツルメント１２を各々着脱可能に収容する支持するインスツルメントホルダ１３を設けている。
【００１５】
ホース垂れ下がり防止及び引き込み加勢装置１０は、図３に示すように、テーブル４の底部４ａにおける前記端子１４の接続位置よりも後方側に、図３において紙面に対し垂直方向配置で回動軸２１が取り付け、この回動軸２１により複数個のホース用アーム２２を連設配置に回動可能に支持している。
【００１６】
そして、複数個のホース用アーム２２の各突出末端に、前記複数本のホース１１の端子１４の近傍位置を滑動可能に支持する複数個のコロ（又はローラ）２３を各々取り付けている。
【００１７】
さらに、前記回動軸２１に対して各々前記ホース用アーム２２と同軸でかつ連動して回動するバネかけ用アーム２４を取り付けている。
【００１８】
前記テーブル４の底部４ａにおける前記回動軸２１よりも後方位置の定位置に設けたピン２５に、加勢バネ２６の一端を取り付け、前記バネかけ用アーム２４の外周にスライド可能に装着した環状のスライド部材２７に対して加勢バネ２６の他端を取り付け、この加勢バネ２６により常時前記ホース１１に対して図４に矢印を付して示す引き上げ方向の力Ｐを付与するように構成している。
【００１９】
前記回動軸２１に対して、前記ホース用アーム２２、バネかけ用アーム２４、加勢バネ２６、スライド部材２７からなる構成を複数本のホース１１に対応する分だけ連設している。
【００２０】
次に、本実施の形態のホース垂れ下がり防止及び引き込み加勢装置の作用を、１本分のホース１１の引き出し、引き込みを行う場合を例にとり、図４、図５を参照して詳述する。
【００２１】
いま、図４に示すように、加勢バネ２６の伸びない状態の有効長をＣ、回動軸２１の中心から、バネかけ用アーム２４における加勢バネ２６のバネ力の作用点までの距離をＡ、ホース用アーム２２に取り付けたコロ２３の中心までの距離をＢとし、この時の加勢バネ２６のバネ力をＱ、ホース用アーム２２及びコロ２３によりホース１１を後方へ引き上げようとする力をＰとすると、この力Ｐは、Ｐ＝Ｑ×Ａ／Ｂの式で表すことができる。
【００２２】
次に、図５に示すように、歯科医師が前記ホース１１を治療作業のために引き出し、ホース用アーム２２、バネかけ用アーム２４が図５に示すように図４の位置から時計方向に回動し、加勢バネ２６のバネかけ用アーム２４に対するバネ力の作用点が図４に示す位置から回動軸２１の近くにスライドした場合について考察する。
【００２３】
この時、伸びた加勢バネ２６の長さをＣ’、回動軸２１の中心から、バネかけ用アーム２４における加勢バネ２６のバネ力の作用点までの距離をＡ’、ホース用アーム２２に取り付けたコロ２３の中心までの距離をＢとし、この時の加勢バネ２６のバネ力をＱ’、ホース用アーム２２及びコロ２３によりホース１１を後方へ引き上げようとする力をＰ’とし、さらに、前記加勢バネ２６のバネ力Ｑ’のバネ力の作用点における回動軸２１の中心に関する円周方向分力をＲとする。
【００２４】
この場合には、ホース用アーム２２及びコロ２３により、ホース１１を後方へ引き上げようとする力Ｐ’＝Ｒ×Ａ’／Ｂの式で表すことができる。
【００２５】
従って、加勢バネ２６の伸びによるバネ力の増加（加勢バネ２６のバネ力Ｑと円周方向分力Ｒとの比）と、前記加勢バネ２６のバネかけ用アーム２４に対するバネ力の作用点のスライドに伴う作用点距離比（Ａ／ＢとＡ’／Ｂとの比）との関係を適切に設定することにより、ホース１１を後方へ引き上げようとする力Ｐ、Ｐ’を好みのトルク曲線を描く状態に設定することができる。
【００２６】
この結果、前記ホース１１の引き出し位置の変動に応じて前記ホース用アーム２２を回動させ、ホース用アーム２２の回動に連動する前記バネかけ用アーム２４の回動により変化する加勢バネ２６のバネ力の作用点のスライドにより、ホース１１に作用する引き上げ方向の回転トルクを変化させ、前記ホースの引き出し、引き上げ方向への加勢力を歯科医師の操作性が良好となるように適切に調整しつつ、前記ホース１１の垂れ下がり防止を実現することができる。
【００２７】
即ち、ホース１１の床面２０の接触を防止して汚れ等の不衛生要因を回避できるとともに、ホース１１の先端に連結しているインスツルメント１２をインスツルメントホルダ１３に容易に収納できる。
【００２８】
図６は、前記バネかけ用アーム２４の回動軸２１の近傍位置に対して、前記加勢バネ２６の他端位置のスライド位置を規制するスペーサ２８を装着した例を示すものである。
【００２９】
このように構成すると、歯科用ユニット１を設置した現場で加勢バネ２６のバネかけ用アーム２４に対する作用点のスライド量を図５に示す場合よりも少なくすることができ、加勢バネ２６の伸び量が増えるとともに、回転モーメントの作用点距離が大きくなる。従って、ホース１１に作用する引き上げ力を図５に示す場合よりも大きくすることが可能となる。即ち、ホース１１の引き上げ時の引き上げ力が増加し、インスツルメント１２のインスツルメントホルダ１３ヘの収納時においてホース１１の戻りを優先させ収納作業の容易化が図れ、ホース１１の戻り易さを増加させたい歯科医師の要望にも対処することができる。
【００３０】
【発明の効果】
本発明によれば、床面にインスツルメントホースが接触して不衛生になるという事態を解消し、かつ、治療作業時にはホースが必要以上に引っ張られず、インスツルメントの格納時には速やかにインスツルメントホースの引き上げを行うことが可能であり、操作性が良好な歯科用ユニットのホース垂れ下がり防止及び引き込み加勢装置を提供することができる。
【００３１】
また、本発明によれば、ホースの引き上げ時の引き上げ力を増加させてホースの戻り易さを増加させることもできる歯科用ユニットのホース垂れ下がり防止及び引き込み加勢装置を提供することができる。
【００３２】
さらに、本発明によれば、複数本のホース構成で複数個のインスツルメントを備えた歯科用ユニットにおいても、上述した効果を発揮させることができる歯科用ユニットのホース垂れ下がり防止及び引き込み加勢装置を提供することができる。
【図面の簡単な説明】
【図１】本発明の実施の形態のホース垂れ下がり防止及び引き込み加勢装置を含む歯科用ユニットの平面図である。
【図２】本実施の形態のホース垂れ下がり防止及び引き込み加勢装置を含む歯科用ユニットの正面図である。
【図３】本実施の形態のテーブル、ホース及びホース垂れ下がり防止及び引き込み加勢装置を示す部分拡大図である。
【図４】本実施の形態のホース垂れ下がり防止及び引き込み加勢装置のホース引き上げ時の動作説明図である。
【図５】本実施の形態のホース垂れ下がり防止及び引き込み加勢装置のホース引き出し時の動作説明図である。
【図６】本実施の形態のバネかけ用アームにスペーサを装着した状態を示す部分拡大図である。
【図７】従来の歯科用ユニットにおけるホースの床面接触状態を示す概略図である。
【図８】従来の歯科用ユニットにおけるテーブルからホースを引き出した状態を示す概略図である。
【符号の説明】
１  歯科用ユニット
２  治療椅子
３  支持アーム
４  ブラケットテーブル
４ａ  底部
５  照明装置
１０  加勢装置
１１  ホース
１２  インスツルメント
１３  インスツルメントホルダ
１４  端子
２０  床面
２１  回動軸
２２  ホース用アーム
２３  コロ
２４  バネかけ用アーム
２５  ピン
２６  加勢バネ
２７  スライド部材
２８  スペーサ
【図１】
0004361224.tif 000002
【図２】
0004361224.tif 000003
【図３】
0004361224.tif 000004
【図４】
0004361224.tif 000005
【図５】
0004361224.tif 000006
【図６】
0004361224.tif 000007
【図７】
0004361224.tif 000008
【図８】
0004361224.tif 000009